(57)【要約】【課題】安価に製造可能であり、筆穂の先端部分の纏まりがよい塗布具と、そのような塗布具で使用する筆穂取付具を提供する。【解決手段】筆穂取付具を介して筆穂を筆軸に取り付ける塗布具において、筆穂取付具１３が筆穂取付孔３７を有する構造とする。また、筆穂取付孔３７の一部に、後尾側から挿入した筆穂の形状を変形する形状変形部７１を設け、形状変形部７１は、先端側に向かうにつれて横断面の面積が減少する部分とする。そして、筆穂取付孔３７の全体長さをＬ１としたとき、筆穂取付孔３７の後端からＬ１／２だけ離れた部分までの範囲に形状変形部７１を形成する。【選択図】図９
2020172030.tif 000002
【特許請求の範囲】
【請求項１】
筆穂と筆軸を備え、筆穂取付具を介して前記筆穂を前記筆軸に取り付ける塗布具において、
前記筆穂取付具は、前記筆穂を挿通する筆穂取付孔を有し、
前記筆穂取付孔は、後尾側から先端側に延びており、
前記筆穂取付孔の一部は、後尾側から挿入した前記筆穂の形状を変形する形状変形部であり、
前記形状変形部は、少なくとも先端側部分において、先端側に向かうにつれて横断面の面積が減少する部分であり、
前記筆穂取付孔の全体長さをＬ１としたとき、前記形状変形部は、前記筆穂取付孔の後端からＬ１／２だけ離れた部分までの範囲に形成されていることを特徴とする塗布具。
【請求項２】
前記筆穂取付孔の少なくとも一部は、先端側整形部と前記形状変形部が連続して形成されており、
前記先端側整形部は、前記形状変形部の先端側に位置し、各部の横断面の面積及び形状が実質的に同一となる部分であり、
前記先端側整形部は、後尾側から先端側へ向かう方向の長さが、前記形状変形部の同方向の長さよりも１．５倍以上長いことを特徴とする請求項１に記載の塗布具。
【請求項３】
前記筆穂は、前記筆穂取付具の内部に位置する部分が、前記筆穂取付具の先端部分から外部に突出する部分よりも、後尾側から先端側へ向かう方向の長さが長いことを特徴とする請求項１又は２に記載の塗布具。
【請求項４】
前記筆穂取付孔の一部は、前記形状変形部と穂先導入部が連続して形成されており、
前記穂先導入部は、前記形状変形部の後尾側に位置し、先端側に向かうにつれて横断面の面積が段階的に減少する部分であり、
前記形状変形部の後尾側部分の横断面の面積は、前記穂先導入部の前端側部分の横断面の面積以下であり、
前記形状変形部の少なくとも先端側部分は、先端側に向かうにつれて横断面の面積が連続的に減少する部分であることを特徴とする請求項１乃至３のいずれかに記載の塗布具。
【請求項５】
前記筆穂は、先端側に位置する毛束部と、後端部分を形成する固形部を有し、
前記毛束部の後端側部分が前記形状変形部の内側に位置することを特徴とする請求項１乃至４のいずれかに記載の塗布具。
【請求項６】
前記筆軸の内部から前記筆穂に液体を供給可能であり、
前記液体の流れを規制する給液規制部材をさらに有し、
前記給液規制部材は、前記筆穂取付具の一部を外側から覆うように取り付けられ、
前記筆穂取付具には、外側面に周囲よりも突出する突条部が設けられており、
前記突条部が前記給液規制部材の前記筆穂取付具に対する相対的な移動を規制することを特徴とする請求項１乃至５のいずれかに記載の塗布具。
【請求項７】
筆穂を筆軸に取り付けるための筆穂取付具であって、
前記筆穂を挿通する筆穂取付孔を有し、
前記筆穂取付孔は、後尾側から先端側に延びており、
前記筆穂取付孔の一部は、後尾側から挿入した前記筆穂の形状を変形する形状変形部であり、
前記形状変形部は、少なくとも先端側部分において、先端側に向かうにつれて横断面の面積が減少する部分であり、
前記筆穂取付孔の全体長さをＬ１としたとき、前記形状変形部は、前記筆穂取付孔の後端からＬ１／２だけ離れた部分までの範囲に形成されていることを特徴とする筆穂取付具。
【発明の詳細な説明】
【技術分野】
【０００１】
本発明は、繊維を束ねて形成される筆穂を備えた塗布具に関する。また、そのような塗布具で使用される筆穂取付具に関する。
【背景技術】
【０００２】
筆軸の内部に水等の液体を内蔵し、使用者が筆軸を押すことで、筆軸内から先端側の筆穂に液体を供給する塗布具が知られている。このような塗布具として、例えば、特許文献１に開示された塗布具がある。
【０００３】
特許文献１に開示された塗布具は、固定部材を介して筆穂を軸筒に取り付けている。詳細には、筆穂を固定部材に挿入固定し、さらに、筆穂及び固定部材を軸筒に挿入固定している。
【０００４】
ここで、固定部材には、先端から後端までを貫通する貫通孔を形成しており、この貫通孔の横断面形状を先端から後端にかけて扁平形状（俵型）としている。すなわち、この貫通孔は、先端から後端に至る全域で、横断面形状が同一形状又は相似形状となる孔となっている。さらに、筆穂もまた、貫通孔の断面形状に対応させ、先端から後端に至る全域の横断面形状を扁平形状としている。
そして、貫通孔の後端側から筆穂を挿通し、貫通孔の先端から筆穂の先端を突出させている。
【０００５】
つまり、特許文献１の塗布具は、筆穂と貫通孔の全体形状を同形とし、これらの形状を対応させることで、筆穂を強制的に変形させず、筆穂先端の割れを発生し難くしている。言い換えると、特許文献１の固定部材は、筆穂の全体形状を変形させずに軸筒に取り付けることを目的としている。
【０００６】
また、特許文献２には、筆穂の先端形状を変形させる筆穂カバーが開示されている。この筆穂カバーは、筆具（塗布具）の付属部材であり、必要に応じて筆軸の先端部分に取り付ける。そして、筆軸に取り付けることで、筆穂の全体形状を強制的に扁平状に変形させるものである。
すなわち、筆具に筆穂カバーを装着しない場合には、筆穂の形状が丸型（円柱状）となる。対して、筆穂カバーを装着した場合には、筆穂の形状が平型（扁平状）となる。このことから、筆穂の形状が異なる２つの筆具を用意することなく、一つの筆具の筆穂を２つの形状で使用できる。
【０００７】
ここで、特許文献２の筆穂カバーを採用する筆具は、上記したように、軸筒先端に筆穂カバーを装着した状態と、取り外した状態のそれぞれで使用する。このことから、それぞれの状態で使い勝手がよくなるように、筆穂カバーの着脱前後で筆穂を一定以上の長さだけ外部に露出させる必要がある。したがって、筆穂カバーは、必然的に前後方向（先端側から後尾側へ向かう方向）の長さが一定以下となる短筒状（前後方向の長さが短い形状）となっている。つまり、特許文献２の筆穂カバーは、後端側の円形開口部から前側の扁平開口部までの距離が短く、筆穂の中途部分の一部のみを内部に位置させ、強制的に圧縮変形させる構造となっている。
【先行技術文献】
【特許文献】
【０００８】
【特許文献１】特開２０１７−９９５１８号公報
【特許文献２】特許第３９２７０３４号公報
【発明の概要】
【発明が解決しようとする課題】
【０００９】
ここで、特許文献１の塗布具では、筆穂の形状が異なる複数の塗布具を製造する際、それぞれ別に筆穂を形成する必要がある。
すなわち、特許文献１の塗布具では、筆穂の形状が丸型である場合、先端側から後端側までの横断面形状が円形となる筆穂を形成する必要がある。また、筆穂の形状が平型である場合、先端側から後端側までの横断面形状が扁平状となる筆穂を形成する必要がある。
【００１０】
ここで、筆穂は、一般的に、毛材料を束ねて毛束を形成し、毛束の後端部分を溶着（熱溶着）によって一体化して形成する。したがって、特許文献１の塗布具において筆穂の形状を丸型とする場合、この後端部分も丸型とする必要があり、筆穂の形状を平型とする場合、この後端部分も平型とする必要がある。
したがって、複数種類の筆具を製造する場合、毛束の後端部分を丸型に溶着する設備と、毛束の後端部分を平型に溶着する設備とが必要となる。また、毛束の製造に複数の設備が必要となる場合、設備が大掛かりとなってしまう。筆具を製造する工場等の敷地面積には限りがあるので、このように設備が大掛かりになることは好ましくなく、また、設備の導入に費用が掛かるため、製造コストの増加に繋がってしまう。
【００１１】
また、特許文献２の筆穂カバーを採用した筆具は、筆穂カバーの装着時に筆穂先端が割れ易く、筆穂先端が纏まり難くなり、使用する際に細かい描画ができなくなるという問題が生じてしまっていた。
【００１２】
そこで本発明は、安価に製造可能であり、筆穂の先端部分の纏まりがよく穂先が割れにくい塗布具を提供することを課題とする。また、そのような塗布具で使用する筆穂取付具を提供することを課題とする。
【課題を解決するための手段】
【００１３】
上記課題を解決すべく、本発明者らが鋭意検討した結果、筆穂を後端側から変形させ、横断面が変形後の形状となる部分を筆穂取付具の内部に多く存在させることで、筆穂の先端部分を割れ難くすることが可能であることを見出した。
かかる知見に基づいて提供される請求項１に記載の発明は、筆穂と筆軸を備え、筆穂取付具を介して前記筆穂を前記筆軸に取り付ける塗布具において、前記筆穂取付具は、前記筆穂を挿通する筆穂取付孔を有し、前記筆穂取付孔は、後尾側から先端側に延びており、前記筆穂取付孔の一部は、後尾側から挿入した前記筆穂の形状を変形する形状変形部であり、前記形状変形部は、少なくとも先端側部分において、先端側に向かうにつれて横断面の面積が減少する部分であり、前記筆穂取付孔の全体長さをＬ１としたとき、前記形状変形部は、前記筆穂取付孔の後端からＬ１／２だけ離れた部分までの範囲に形成されていることを特徴とする塗布具である。
【００１４】
本発明の塗布具によると、筆穂を筆穂取付具に挿通することで、筆穂の先端部分の形状が変形する。このため、先端形状が異なる複数種類の塗布具（筆具）を製造する場合、それぞれの形状に対応した筆穂取付具を使用して筆穂を取り付けることで、それぞれの塗布具に同形の筆穂を使用できる。
すなわち、先端形状が異なる複数種類の筆具を製造する場合、形状が異なる筆穂をそれぞれ製造する必要がなく、製造コストの低減を図ることができる。
また、形状変形部を筆穂取付孔の後端からＬ１／２だけ離れた部分までの範囲に形成することで、筆穂の長手方向の大部分が変形後の形状となる。また、変形後の形状となる部分を広範囲に亘って筆穂取付具の内部に収容できる。このことから、筆穂の先端部分を割れ難くすることが可能であり、筆穂の先端部分の纏まりがよい塗布具を提供できる。
【００１５】
請求項２に記載の発明は、前記筆穂取付孔の少なくとも一部は、先端側整形部と前記形状変形部が連続して形成されており、前記先端側整形部は、前記形状変形部の先端側に位置し、各部の横断面の面積及び形状が実質的に同一となる部分であり、前記先端側整形部は、後尾側から先端側へ向かう方向の長さが、前記形状変形部の同方向の長さよりも１．５倍以上長いことを特徴とする請求項１に記載の塗布具である。
ここで、面積、長さが「実質的に同一」であるとは、完全に同一の他、数パーセントの誤差を含むものとし、以下も同様とする。
また、形状（平面形状）が「実質的に同一」であるとは、完全に同一の他、一方の形状と他方の形状を重ね合わせた状態において、一方の形状に対する他方の形状の対応部分の差がプラスマイナス０．５ｍｍ以内のものを含むものとし、以下も同様とする。
つまり、「実質的に同一」とは、完全に同一の他、完全に同一ではないもののその差が微量であって、完全に同一である場合と同等の作用、効果が得られるものを含む。
【００１６】
かかる構成によると、前後方向（後尾側から先端側へ向かう方向）に長い先端側整形部の内部に筆穂が収容され、筆穂の先端部分を纏まりがよく割れ難くすることができる。
【００１７】
請求項３に記載の発明は、前記筆穂は、前記筆穂取付具の内部に位置する部分が、前記筆穂取付具の先端部分から外部に突出する部分よりも、後尾側から先端側へ向かう方向の長さが長いことを特徴とする請求項１又は２に記載の塗布具である。
【００１８】
かかる構成によると、筆穂の先端部分をより纏まりがよく割れ難くすることができる。
【００１９】
請求項４に記載の発明は、前記筆穂取付孔の一部は、前記形状変形部と穂先導入部が連続して形成されており、前記穂先導入部は、前記形状変形部の後尾側に位置し、先端側に向かうにつれて横断面の面積が段階的に減少する部分であり、前記形状変形部の後尾側部分の横断面の面積は、前記穂先導入部の前端側部分の横断面の面積以下であり、前記形状変形部の少なくとも先端側部分は、先端側に向かうにつれて横断面の面積が連続的に減少する部分であることを特徴とする請求項１乃至３のいずれかに記載の塗布具である。
【００２０】
かかる構成によると、塗布具を製造する際に筆穂を筆穂取付孔に挿入し易く、製造が容易であるため、好ましい。
【００２１】
請求項５に記載の発明は、前記筆穂は、先端側に位置する毛束部と、後端部分を形成する固形部を有し、前記毛束部の後端側部分が前記形状変形部の内側に位置することを特徴とする請求項１乃至４のいずれかに記載の塗布具である。
【００２２】
かかる構成によると、毛束部の根元部分が形状変形部の内側に位置し、筆穂の先端部分がより割れ難くなるため好ましい。
【００２３】
請求項６に記載の発明は、前記筆軸の内部から前記筆穂に液体を供給可能であり、前記液体の流れを規制する給液規制部材をさらに有し、前記給液規制部材は、前記筆穂取付具の一部を外側から覆うように取り付けられ、前記筆穂取付具には、外側面に周囲よりも突出する突条部が設けられており、前記突条部が前記給液規制部材の前記筆穂取付具に対する相対的な移動を規制することを特徴とする請求項１乃至５のいずれかに記載の塗布具である。
【００２４】
かかる構成によると、筆軸内から筆穂に液体を供給する際に適量の液体を供給可能である。また、筆穂取付具に突条部（リブ部）を設けることで、筆穂取付具の強度を向上させつつ、給液規制部材の意図しない位置ずれを防止できる。
【００２５】
請求項７に記載の発明は、筆穂を筆軸に取り付けるための筆穂取付具であって、前記筆穂を挿通する筆穂取付孔を有し、前記筆穂取付孔は、後尾側から先端側に延びており、前記筆穂取付孔の一部は、後尾側から挿入した前記筆穂の形状を変形する形状変形部であり、前記形状変形部は、少なくとも先端側部分において、先端側に向かうにつれて横断面の面積が減少する部分であり、前記筆穂取付孔の全体長さをＬ１としたとき、前記形状変形部は、前記筆穂取付孔の後端からＬ１／２だけ離れた部分までの範囲に形成されていることを特徴とする筆穂取付具である。
【００２６】
本発明の筆穂取付具は、上記と同様に、筆穂の先端部分の形状を変形可能であり、その際の筆穂の先端部分を割れ難くすることが可能である。このことから、安価に製造可能であり、筆穂の先端部分の纏まりがよい塗布具を提供できる。
【発明の効果】
【００２７】
本発明によると、安価に製造可能であり、筆穂の先端部分の纏まりがよい塗布具を提供できる。また、そのような塗布具に使用する筆穂取付具を提供できる。
【図面の簡単な説明】
【００２８】
【図１】本発明の実施形態にかかる筆具を示す斜視図であり、キャップ部材を取り外した様子を示す。
【図２】図１の筆具本体を示す分解斜視図である。
【図３】図１の前側筒部を示す斜視図である。
【図４】図２の筆穂取付具を示す斜視図である。
【図５】図４の筆穂取付具を別方向からみた様子を示す斜視図である。
【図６】図４の筆穂取付具を示す平面図である。
【図７】図４の筆穂取付具を示す側面図である。
【図８】図４の筆穂取付具を示す図であり、給水溝部の周辺を一部破断して示す説明図である。
【図９】図４の筆穂取付具を示すＡ−Ａ断面図である。
【図１０】図５の筆穂取付具の一部を破断して示す一部破断斜視図である。
【図１１】筆穂取付具の形状変形部の横断面を示す図であり、（ａ）は、図９のＣ−Ｃで示す部分で切断した横断面の端面図であり、（ｂ）は、図９のＤ−Ｄで示す部分で切断した横断面の端面図であり、（ｃ）は、図９のＥ−Ｅで示す部分で切断した横断面の端面図である。
【図１２】筆穂取付具の穂形保持部の横断面を示す図であり、（ａ）は、図９のＦ−Ｆで示す部分で切断した横断面の端面図であり、（ｂ）は、図９のＧ−Ｇで示す部分で切断した横断面の端面図である。
【図１３】図４の筆穂取付具を示すＢ−Ｂ断面図である。
【図１４】図２の中栓部材を示す斜視図である。
【図１５】図２の筆穂を筆穂取付具の後方側から挿入する様子を示す説明図であり、（ａ）〜（ｃ）の順に取り付ける。
【図１６】図２の筆穂取付具を給水規制部材の後方側から挿入する様子を示す説明図であり、（ａ）、（ｂ）の順に取り付ける。
【図１７】図１の筆具本体を示す断面図であり、穂先部分が整えられた状態を示す。
【図１８】図１の筆具本体の先端側部分を拡大して示す斜視図であり、穂先部分が整えられた状態を示す。
【図１９】図１５（ｂ）の一部を拡大して示す説明図である。
【図２０】筆穂及び筆穂取付具の横断面を示す図であり、図１５（ｃ）のＨ−Ｈで示す部分で切断した横断面の端面図である。
【図２１】図１７の筆具本体の先端側部分を示す図であり、筆具本体内で筆穂の毛束部まで液体が流れる様子を示す説明図である。
【発明を実施するための形態】
【００２９】
以下、本発明の実施形態に係る筆具１（塗布具）について、図面を参照しつつ詳細に説明するが、本発明はこれらの例に限定されるものではない。
また、以下の説明において、特に断りのない限り、筆先（筆穂１４の先端）側を先端側又は前側、対となる長手方向の逆側を後尾側又は後側として説明する。
【００３０】
本実施形態の筆具１は、図１で示されるように、筆穂１４を筆軸３０の先端部分に取り付けて形成される筆であり、所謂本筆と称される筆である。すなわち、筆穂１４の内部に液体供給用の芯やパイプが配されておらず、筆穂１４の横断面の中心から縁端までの略全域に糸状の毛が配された構造となっている（詳しくは後述する）。
この筆具１は、書画で使用される筆であり、書筆や画筆として使用される。
【００３１】
筆具１は、図１で示されるように、筆具本体２とキャップ部材３を備えている。
【００３２】
筆具本体２は、図２で示されるように、前側筒部１０と、後側筒部１１と、給水規制部材１２（給液規制部材）と、筆穂取付具１３と、筆穂１４と、中栓部材１５を備えた構造となっている。
【００３３】
前側筒部１０は、内部に空間が形成される中空の部材であり、先端開口部２０と後尾側の後側開口部（図示しない）を介して内外が連通している。
前側筒部１０は、先端側に位置する小径筒状の前筒先端部１０ａと、後尾側に位置する大径筒状の前筒後端部１０ｂとが一体となって形成されている。すなわち、前筒先端部１０ａの外周面と、前筒後端部１０ｂの外周面が段差を介して連続している。
【００３４】
前筒先端部１０ａは、キャップ部材３（図１参照）を取り付ける際、キャップ部材３の内部に挿入される部分である。
この前筒先端部１０ａの内周面には、図３で示されるように、先端側に４つのリブ部２１が形成されている。４つのリブ部２１は、いずれも略直方体状の部分であり、断面形状が略四角形状で前後方向に延びている。
４つのリブ部２１は、前筒先端部１０ａの周方向で離れた位置にそれぞれ形成されている。具体的には、１つのリブ部２１は、他のリブ部２１から周方向に９０度程度離れた位置に形成されている。
【００３５】
また、前筒後端部１０ｂの内周面には、後尾側部分に雌ネジ部２３（図３では図示しない、図１７参照）が形成されている。
【００３６】
後側筒部１１は、図２で示されるように、内部に空間が形成される中空の部材であり、詳細には、内部空間が先端開口部２５を介して外部と連続する有底筒状の部材である。
この後側筒部１１は、先端側部分が後端側部分に比べて細くなっており、先端側部分の外周面に雄ネジ部２６が形成されている。この雄ネジ部２６は、前側筒部１０の雌ネジ部２３（図２では図示しない、図１７参照）と対となる係合部を形成しており、雄ネジ部２６はその一方となる。つまり、後側筒部１１の先端側部分を前側筒部１０の後端側部分に挿入し、雌ネジ部２３と雄ネジ部２６を螺合させることで、筆軸３０（図１参照）が形成される。
【００３７】
この後側筒部１１は、可撓性を有する部材で形成されており、内部に水等の液体（本実施形態では水）が収納される部分である。
すなわち、本実施形態の筆具１は、使用者が後側筒部１１を摘まんで押すことで、筆穂１４に水を供給可能となっている（詳しくは後述する）。
【００３８】
給水規制部材１２は、液体を含浸可能な多孔質材料によって形成されており、吸水性及び保水性を有する。なお、本実施形態の給水規制部材１２は、ウレタン樹脂製のスポンジを原料として形成している。この給水規制部材１２には、図２で示されるように、概形が筒状となるように形成されており、前端から後端までを貫通する固定部材挿通孔１２ａが設けられている。
【００３９】
筆穂取付具１３は、図４、図５で示されるように、幅を持って所定方向（前後方向）に延びる部材であり、内部に空間を有する中空の部材である。
この筆穂取付具１３は、先端側の穂形保持部３５と、後端側の穂先導入部３６とが一体に形成された部材である。そして、筆穂取付具１３には、前端側から後端側までを貫通する筆穂取付孔３７が形成されている。
【００４０】
なお、以下の説明において、筆穂取付具１３は、図４で示される姿勢を基準として説明する。すなわち、特に断りのない限り、周壁の一方側（図４の上側）を上側とし、その反対側（図４の下側）を下側とする。
【００４１】
筆穂取付具１３の上側部分には、図４で示されるように、２つの係合面部４５と、第一給水孔部４６と、給水溝部４７とが形成されている。
【００４２】
ここで、本実施形態の筆穂取付具１３は、上側部分と下側部分が面対称となる部材である。すなわち、筆穂取付具１３の上側半分と下側半分は、上下方向の中心部分を含んで広がる仮想面を対称面とする面対称となっている。
したがって、筆穂取付具１３の下側部分にも、上側部分と同様に２つの係合面部４５、第一給水孔部４６、給水溝部４７が形成されている（図４では図示しない）。その他同様に、上側部分に形成された各部は、下側部分にも形成されている。
以下の説明では、筆穂取付具１３の上側各部についてのみ詳細に説明し、下側各部については、重複する詳細な説明を省略する。
【００４３】
穂形保持部３５は、全体形状が扁平形で前後方向に延びる部分である。
この穂形保持部３５には、幅方向（左右方向）の両端にそれぞれ側壁部５０が形成されている。そして、側壁部５０の外側面は、幅方向の外側に膨らむように湾曲する湾曲面となっている。なお、この２つの側壁部５０は、離間対向するように形成されている。したがって、ここでいう幅方向は、２つの側壁部５０の対向方向でもある。
【００４４】
係合面部４５は、側壁部５０の上端部分と連続し、上下方向と直交する（交わる）面である。この係合面部４５は、側壁部５０の上端よりも幅方向の中心よりに形成されている。つまり、係合面部４５は、幅方向及び前後方向に広がりを持つ面であり、側壁部５０の上端部分と隣接する位置で前後方向に延びている。
【００４５】
第一給水孔部４６は、図４、図６で示されるように、開口形状が略長方形状となる貫通孔であり、穂形保持部３５の上側部分を上下方向に貫通する（穂形保持部３５の周壁の一部を貫通する）貫通孔である。つまり、第一給水孔部４６は、図５で示されるように、筆穂取付孔３７（筆穂取付具１３の内部）と外部を連通する孔である。
【００４６】
この第一給水孔部４６は、図４、図６で示されるように、穂形保持部３５の後端部分から先端側（図６では右端部分から左側）へ向かって延びており、全長（前後方向長さ）が、穂形保持部３５の全長の７０パーセント程度の長さとなっている。つまり、第一給水孔部４６は、穂形保持部３５の上側部分の大半に亘って延びている。
【００４７】
第一給水孔部４６の開口部分は、先端側部分が２つの突条部５２の間に位置している。
突条部５２は、図５で示されるように、上方に突出し、断面形状が略扇型形状で前後方向に延びている。すなわち、突条部５２は、幅方向の外側に隣接する部分、並びに、後側に隣接する部分よりも上方に突出する部分（係合面部４５の形成位置よりも上方に突出する部分）である。そして、突条部５２は、幅方向の中心側に位置する上端部分と、幅方向の外側に位置する下端部分の間の面が湾曲面となっている。
そして、突条部５２の湾曲面と、係合面部４５と、側壁部５０の外側面とが段状に連続する段部を形成している。
【００４８】
本実施形態の筆穂取付具１３は、図７で示されるように、突条部５２の後側に括れ部５５が設けられている。この括れ部５５は、前後方向で隣接する隣接部分よりも細く形成された部分である。つまり、括れ部５５の横断面形状は、前後方向で隣接する隣接部分の横断面形状と比べて、横断面を含む最小包含円の面積が小さくなる形状となっている。
本実施形態の括れ部５５は、前後方向で隣接する隣接部分よりも上下方向の長さが短い部分となっている。
【００４９】
穂先導入部３６は、図４、図７で示されるように、後側大筒部５８と前側小筒部５９が一体となって形成される部分である。
【００５０】
後側大筒部５８は、図４、図５で示されるように、略円筒状の部分であり、詳細には、側面の一部を垂直に切り落とした形状となっている。すなわち、後側大筒部５８の側面（外周面）は、図５で示されるように、周方向に連続する湾曲面と、略長方形状の平面とが連続して形成されている。
【００５１】
前側小筒部５９は、後側大筒部５８よりも上下方向長さ及び幅方向長さが短い筒状の部分である。前側小筒部５９は、後側大筒部５８の前端面から前方に延びており、その側面（外周面）部分は、後側大筒部５８の側面（外周面）部分と段差を介して連続する。
この前側小筒部５９の側面（外周面）には、上記した給水溝部４７が形成されている。
【００５２】
給水溝部４７は、前後方向に延びる溝部分であり、前端側部分が、幅方向で離間対向する２つのリブ部６０（突条部）の間に位置している。
このリブ部６０は、幅方向で隣接する他部よりも上方に突出する部分であり、前後方向に延びる立壁状部分である。本実施形態では、前側小筒部５９の前端から後方側に延びている。
【００５３】
給水溝部４７の底部分には、図８で示されるように、前端側から順に溝底傾斜部６３と、溝底突起部６４と、第二給水孔部６５とがそれぞれ設けられている。
【００５４】
溝底傾斜部６３は、その上面が、前端側に向かうにつれて下方側へ向かうように傾斜する部分である。すなわち、上下方向における外側面が、前端側に向かうにつれて上下方向の中心側へ向かうように傾斜する傾斜面を形成している。
【００５５】
溝底突起部６４は、溝底傾斜部６３の後側に隣接する略直方体状の部分であり、溝底傾斜部６３の後端よりも上方（上下方向の外側）に突出する部分である。溝底突起部６４の上面は、溝底傾斜部６３の上面と段差を介して連続している。
【００５６】
第二給水孔部６５は、開口形状が略四角形状となる貫通孔であり、前側小筒部５９（穂先導入部３６）を上下方向に貫通する貫通孔である。すなわち、筆穂取付孔３７（筆穂取付具１３の内部）と外部を連通する孔である。
【００５７】
続いて、筆穂取付具１３の内部構造（筆穂取付孔３７）について、詳細に説明する。
【００５８】
筆穂取付孔３７は、図９で示されるように、後端側から、穂先導入部７０、形状変形部７１、先端側整形部７２が連続して一連の貫通孔を形成している。
【００５９】
穂先導入部７０は、図５、図１０で示されるように、孔径の大きな（横断面の面積が大きい）孔後部７０ａと、孔径の小さな（横断面の面積が小さい）孔前部７０ｂとが連続して形成されている。
ここで、穂先導入部３６の内周面は、孔後部７０ａを周方向に囲む部分と、孔前部７０ｂを周方向に囲む部分とが段差を介して連続している。言い換えると、穂先導入部３６の内部では、穂先導入部７０の各部の外側に隣接する面が前後方向で階段状に連続する。
【００６０】
つまり、穂先導入部７０は、先端側に向かうにつれて段階的に小さくなる孔である。
ここで、「段階的に小さくなる孔」とは、断続的（間欠的）に横断面の面積が小さくなる孔とする。つまり、孔の先端側に向かうにつれ、横断面の面積が実質的に同一となる部分が一定以上続いた後、孔の横断面の面積が明らかに小さくなり、その後に横断面の面積が実質的に同一となる部分が一定以上続く、といった孔とする。
【００６１】
この穂先導入部７０は、穂先導入部７０の後端部分の開口形状が円形であり、各部の横断面形状が円形となっている。
【００６２】
また、穂先導入部３６の内周面のうち、孔前部７０ｂを囲む部分には、上記した第二給水孔部６５の内側開口が形成されている（図５参照）。すなわち、第二給水孔部６５は、孔前部７０ｂと外部を連通する孔となっている。
【００６３】
形状変形部７１は、図１０で示されるように、後端開口の形状が楕円形となる。
すなわち、穂先導入部７０の後端部分の開口形状（横断面形状）と、前端部分の横断面形状のいずれとも異なる形状となっている。そして、形状変形部７１の後端開口の開口面積（後端部分の横断面の面積）は、穂先導入部７０の前端部分の横断面の面積よりも小さくなっている。
以上のことから、穂先導入部３６の内周面は、穂先導入部７０を周方向に囲む部分と、形状変形部７１を周方向に囲む部分とが段差を介して連続する。言い換えると、穂先導入部３６の内部では、穂先導入部７０の外側に隣接する面と、形状変形部７１の外側に隣接する面とが前後方向で階段状に連続している。
【００６４】
前述の通り、形状変形部７１は、先端側に向かうにつれて連続的に小さくなる孔である。
ここで、「連続的に小さくなる孔」とは、連続する各部の横断面の面積が少しずつ小さくなる孔とする。
【００６５】
本実施形態では、形状変形部７１の各部の横断面の形状が略楕円形となっている。
なお、ここでいう「略楕円形」とは、完全な楕円形に限らず、楕円形と近似する形状を含む。すなわち、直交する短軸長さと長軸長さを有する形状であり、概ね楕円形であれば、曲線部分の形状が一部不規則に延びたりする態様を含む。例えば、オーバル形状は、「略楕円形」に含まれる。
【００６６】
より具体的には、図１１で示されるように、形状変形部７１は、後端部分の横断面の形状が楕円形であり（図１１（ａ）参照）、前端部分の横断面の形状がオーバル形状となっている。そして、先端側に向かうにつれて、横断面の形状が徐々に楕円形からオーバル形状に変化していく。すなわち、先端側に向かうにつれて、横断面形状が徐々に扁平形状へ移行していく。
【００６７】
したがって、形状変形部７１の前後方向の位置が異なる各部では、横断面の幅方向長さ（長軸長さＬα）が実質的に同一の長さとなる。一方、横断面の上下方向長さ（短軸長さＬβ）は、先端側（前側）に向かうにつれて徐々に短くなる。詳細には、先端側に向かうにつれて上端部分が徐々に低位置となり、且つ、下端部分が徐々に高位置となる。
したがって、先端側に向かうにつれ、横断面の上端部分と下端部分のそれぞれが徐々に上下方向の中心から近い位置となる。
【００６８】
ここで、幅方向と上下方向は、いずれも穂先導入部７０の径方向であり（図５、図１０参照）、筆穂取付孔３７の横断面と平行な方向であって、互いに直交する方向である。そして、この幅方向と上下方向は、穂先導入部７０（筆穂取付孔３７）の中心軸と直交する方向のうちの一つ（第一の方向）と他の一つ（第二の方向）でもある。
【００６９】
なお、穂先導入部３６のうち、形状変形部７１を周方向に囲む部分には、外部と連通する貫通孔である第一給水孔部４６、第二給水孔部６５が位置しない（図４参照）。つまり、形状変形部７１は、前後端で外部と連続する一方で、前後方向の全域に亘って周方向で環状に連続する内周面に囲まれた空間となっている。
【００７０】
先端側整形部７２は、図９で示されるように、形状変形部７１の前端部分と連続し、筆穂取付孔３７の前端部分まで延びる部分である。
【００７１】
先端側整形部７２の各部における横断面の形状は、図１２で示されるように、略楕円形（オーバル形状）となっている。
すなわち、先端側整形部７２の後端側部分では、横断面の形状、すなわち、穂形保持部３５の内周面及び２つの第一給水孔部４６に囲まれた部分の形状が略楕円形となる（図１２（ａ）参照）。対して、前端側部分では、穂形保持部３５の内周面であり、周方向で環状に連続する内周面に囲まれた部分の形状が略楕円形となる（図１２（ｂ）参照）。
【００７２】
この先端側整形部７２は、各部における横断面の形状が実質的に同一であり、詳細には、形状変形部７１の前端部分の開口形状と実質的に同一となっている。
すなわち、先端側整形部７２の横断面の幅方向長さ（長軸長さＬα）は、形状変形部７１の前端部分の横断面の幅方向長さと実質的に同一の長さとなっている。加えて、先端側整形部７２の横断面の上下方向長さ（短軸長さＬβ）は、形状変形部７１の前端部分の横断面の上下方向長さと実質的に同一の長さとなっている。
【００７３】
ここで、上記したように、先端側整形部７２では前後方向の全域に亘って横断面の幅方向長さが実質的に同一の長さとなっている（図１２等参照）。
したがって、図１３で示されるように、先端側整形部７２の後端（図１３では右端）から先端側整形部７２（筆穂取付孔３７）の前端（図１３では左端）までの間で、筆穂取付孔３７の幅方向長さ（図１３では上下方向長さ）が同一の長さとなっている。
【００７４】
ここで、形状変形部７１は、図１３で示されるように、筆穂取付具１３（筆穂取付孔３７）の後端側部分（図１３では右端側部分）に形成されている。
すなわち、筆穂取付孔３７の前後方向（長手方向であり、図１３では左右方向）における後端から中心部分までの範囲に形状変形部７１が形成されている。この範囲は、筆穂取付孔３７（筆穂取付具１３）の全体長さをＬ１としたとき、筆穂取付孔３７の後端からＬ１／２（全長Ｌ１の５０パーセント）だけ離れた部分までの範囲でもある。
【００７５】
なお、形状変形部７１が形成される範囲は、筆穂取付孔３７の後端から全長Ｌ１の５０パーセント以下となる距離（長さ）だけ離れた部分までの範囲であり、全長Ｌ１の４０パーセント以下となる距離（長さ）だけ離れた部分までの範囲であることが好ましい。
加えて、全長Ｌ１の３５パーセント以下となる距離（長さ）だけ離れた範囲であることがより好ましく、全長Ｌ１の３０パーセント以下となる距離（長さ）だけ離れた範囲であることがさらに好ましい。
【００７６】
本実施形態では、形状変形部７１は、筆穂取付孔３７の後端から全長Ｌ１の２８パーセントの長さだけ離れた部分までの範囲に形成されている。すなわち、穂先導入部７０の前後方向の長さＬ２と、形状変形部７１の前後方向の長さＬ３の合計長さが、筆穂取付孔３７の全長Ｌ１の２８パーセントの長さとなっている。
【００７７】
本実施形態では、穂形保持部３５の前後方向の長さ（全長）Ｌ４が、形状変形部７１の前後方向の長さに対して十分に長くなっている。
ここで、穂形保持部３５の前後方向の長さＬ４は、形状変形部７１の前後方向の長さＬ３の１．５倍以上であることが好ましく、２．５倍以上であることがより好ましく、３倍以上であることがさらに好ましい。本実施形態では、長さＬ４が長さＬ３の３．３倍程度の長さとなっている。
【００７８】
また、穂形保持部３５の前後方向の長さＬ４は、穂先導入部７０の前後方向の長さＬ２と、形状変形部７１の前後方向の長さＬ３の合計長さよりも長くなっている。具体的には、長さＬ４が、長さＬ２と長さＬ３の合計長さより２倍以上長くなっており、本実施形態では、２．４倍程度長くなっている。
【００７９】
筆穂１４は、図２で示されるように、毛材料を束ねて毛束とし、後端部分を熱溶着して形成している。このことから、筆穂１４は、前側の大部分を形成する毛束部１４ａと、後端周辺の一部を形成するフランジ状部１４ｂ（固形部）を有しており、フランジ状部１４ｂは、毛束の一部が溶けた後に固まって形成される部分となっている。
【００８０】
毛束部１４ａは、自然状態（外力が加わらない状態）の全体形状が略円柱状となるように毛が束ねられた部分であり、フランジ状部１４ｂの前端から前方に突出しつつ前後方向に延びる部分である。
フランジ状部１４ｂは、後方から見た平面視形状が略円形となる略円盤状の部分である。そして、フランジ状部１４ｂは、径方向長さが毛束部１４ａの径方向長さよりも長く、径方向の中心が毛束部１４ａの径方向の中心と同一直線上に位置した状態となっている。
つまり、フランジ状部１４ｂは、筆穂１４全体のうちで径が大きな部分（太く形成された部分）であり、フランジ状部１４ｂの外周縁部分は、毛束部１４ａの外周部分よりも径方向外側に位置する。
【００８１】
なお、この筆穂１４に使用する毛材料は、馬、羊等の獣毛（天然毛）を採用してもよく、合成樹脂製の繊維等を使用した人工毛を採用してもよく、これらを混毛したものを採用してもよい。
【００８２】
中栓部材１５は、図１４で示されるように、中栓本体部７５と、給水規制栓部７６を備えた構造となっている。
【００８３】
中栓本体部７５には、前端から後端までを貫通する液通過孔７８が形成されている。また、中栓本体部７５は、後側筒部１１の先端開口部２５（図２参照）よりも大径となる栓大径部７５ａと、最も先端側（前側）に位置する栓小径部７５ｂを有する。
この中栓本体部７５の前側部分の外周面は、径の異なる各部が段状に連続して形成されており、前方へ向かうにつれて径が小さくなる。言い換えると、中栓本体部７５の前側部分は、段状に先細りしていく形状である。
【００８４】
栓小径部７５ｂは、概形が略円筒状となる部分であり、外周面の一部に側孔部８０が設けられている。側孔部８０は、栓小径部７５ｂの外周面の一部から内周面の一部までを貫通する貫通孔である。本実施形態では、２つの側孔部８０が形成されており、栓小径部７５ｂの径方向で互いに対向している。
つまり、液通過孔７８の前側部分は、栓小径部７５ｂ（中栓本体部７５）の前端に位置する前側開口部８１と、２つの側孔部８０を介して外部と連通している。したがって、側孔部８０は、液通過孔７８と連続し、前後方向と直交する方向に延びる孔となっている。
【００８５】
この中栓本体部７５は、前後方向に延びる挿入筒部７５ｃを有しており、この挿入筒部７５ｃの一部が栓大径部７５ａよりも後方側に位置している。この挿入筒部７５ｃの一部は、取り付け時に後側筒部１１に挿入される部分であり、液通過孔７８の後端部分を取り囲む部分でもある。
【００８６】
給水規制栓部７６は、外形が略円柱状となる部材であり、前側部分が液通過孔７８の後端側部分に嵌入されている。すなわち、給水規制栓部７６は、径方向長さが液通過孔７８の径方向長さと実質的に同一の長さとなっており、前側部分が液通過孔７８の後側部分に挿入され、後側部分が外部に露出している。
【００８７】
この給水規制栓部７６は、プラスチック（合成樹脂）製の丸棒状部材であり、綿やスポンジ等に比べて剛性の高い部材であって、前端面から後端面までを貫通する微細な貫通孔が多数形成されている（図示しない）。
【００８８】
続いて、筆具１の組み立て構造について説明する。
【００８９】
筆具本体２を組み立てる際には、図２、図１５で示されるように、筆穂取付具１３の後方から筆穂１４を挿入し、筆穂１４を筆穂取付具１３に取り付けた状態とする。
また、図２、図１６で示されるように、給水規制部材１２の後方側から筆穂取付具１３を挿入し、給水規制部材１２が筆穂取付具１３の一部を外嵌した状態とする。
そして、給水規制部材１２、筆穂１４を取り付けた筆穂取付具１３を前側筒部１０の後方側から挿入する。さらに、図１７で示されるように、筆穂取付具１３の後方側に中栓部材１５を位置させた上で、前側筒部１０の雌ネジ部２３と後側筒部１１の雄ネジ部２６螺合させ、筆具本体２が組み立てられた状態とする。
【００９０】
すなわち、図１７で示されるように、前側筒部１０の内部に給水規制部材１２と、筆穂取付具１３及び筆穂１４の大部分と、中栓部材１５とが収容された状態となる。そして、図１、図１７で示されるように、筆穂取付具１３及び筆穂１４の先端側の部分が、前側筒部１０の先端開口部２０から外部に突出した状態となる。
【００９１】
このとき、図１８で示されるように、前側筒部１０のリブ部２１と係合面部４５が接触する、又は、筆軸３０の周方向で僅かに間隔を空けて離れた位置に配されている（本実施形態では間隔を空けて配されている）。すなわち、筆穂取付具１３の少なくとも一部は、リブ部２１の側面から前側筒部１０（筆軸３０）の周方向で離れた位置に配される。このリブ部２１と係合面部４５とは、回り止め部を形成しており、筆穂取付具１３が前側筒部１０に対して相対的に回転しようとした場合、これらが当接することでこの回転が阻止される。
【００９２】
ここで、筆穂１４を筆穂取付具１３に取り付ける際には、上記したように、筆穂取付具１３の後方から筆穂１４を挿入する（図１５参照）。
このとき、図１５で示されるように、自然状態における毛束部１４ａの径方向長さは、穂先導入部７０の孔後部７０ａ及び孔前部７０ｂの径方向長さよりも小さい。すなわち、自然状態における毛束部１４ａの横断面は、横断面を含む最小包含円の面積が、孔後部７０ａの横断面の面積よりも小さくなり、且つ、孔前部７０ｂの横断面の面積よりも小さくなる。すなわち、毛束部１４ａが穂先導入部７０に対して細く、穂先導入部７０への導入が容易である。
【００９３】
また、図１５（ｂ）、図１９で示されるように、自然状態における毛束部１４ａの径方向長さは、形状変形部７１の後端及び後端近傍における横断面の長軸長さＬα、短軸長さＬβ（図１１（ａ）参照）よりも短くなっている。
すなわち、自然状態における毛束部１４ａの横断面は、横断面を含む最小包含円の面積が、形状変形部７１の後端及び後端近傍の横断面の面積よりも小さくなる。
したがって、毛束部１４ａの先端部分を穂先導入部７０から形状変形部７１へ移動させる際、毛束部１４ａの形状変形部７１への導入が容易である。
【００９４】
そして、形状変形部７１は、上記したように、先端側に向かうにつれて徐々に横断面形状が扁平になっていく（オーバル形状に近づいていく）形状となっている（図１１等参照）。したがって、毛束部１４ａは、形状変形部７１の内部を通過した部分（形状変形部７１の先端側開口よりも先端側に移動した部分）の横断面形状が、形状変形部７１への挿通前の横断面形状と異なる形状となる。
【００９５】
すなわち、先端側に向かうにつれて形状変形部７１の上下方向長さが徐々に短くなることから、毛束部１４ａの各部は、形状変形部７１の内部を通過するにつれて徐々に上下方向から押されたように扁平状に近づいていく。
【００９６】
そして、毛束部１４ａの先端部分は、図１５（ｂ）、図１５（ｃ）で示されるように、形状変形部７１を通過した後に先端側整形部７２に導入され、先端側整形部７２を通過した後に、筆穂取付孔３７の前端側開口から外部へ移動する。
【００９７】
ここで、筆穂取付孔３７の外部に位置する毛束部１４ａの先端部分は、筆鋒となる毛先部分が先細りするように、形状を整えてもよい（図１７、図１８等参照）。すなわち、毛束部１４ａの毛先部分に水等を含ませ、厚さが毛先側になるにつれて薄くなるように、先端へ向かう毛の流れに沿って徐々に強く力を加える等して、形を整えてもよい。
この毛先部分は、組み立て前、すなわち、筆穂１４を筆穂取付具１３に挿入する前に形状を整えてもよい。また、組み立て後、すなわち、筆穂１４を筆穂取付具１３に挿入した後に形状を整えてもよい。しかしながら、筆穂１４の筆穂取付具１３への挿入をより容易にするという観点に立つと、組み立て前に形状を整えることが好ましい。
この場合、筆穂１４（図２参照）の先端部分を、厚さが毛先側になるにつれて薄くなるように整える。
【００９８】
また、毛束部１４ａを筆穂取付具１３に対して相対的に前方へ移動させていくと、フランジ状部１４ｂが形状変形部７１の後端開口と隣接する部分に当接する（図１５（ｃ）参照）。このことにより、毛束部１４ａのさらなる前方側への移動が阻止される。
つまり、フランジ状部１４ｂは、少なくとも径方向の一方側の長さ（図１５の上下方向長さ）が形状変形部７１における後端開口の同方向の長さよりも長く、形状変形部７１に挿入できない大きさとなっている。
【００９９】
このように、本実施形態では、フランジ状部１４ｂが形状変形部７１の後端開口の後側に配され、フランジ状部１４ｂの前側に位置する毛束部１４ａの後端側部分が形状変形部７１の内部に配されている。
より詳細には、フランジ状部１４ｂが、形状変形部７１の後端開口の後側に隣接した状態となっている。そして、フランジ状部１４ｂと隣接する毛束部１４ａの根本部分、すなわち、毛束部１４ａの後端部分及びその前方に隣接する部分が形状変形部７１の内部に収容されている。
【０１００】
本実施形態では、筆穂１４の全長（前後方向の長さ）Ｌ５が、筆穂取付具１３及び筆穂取付孔３７の全長Ｌ１よりも長くなっている。
さらに、筆穂１４を筆穂取付具１３に取り付けたとき、筆穂１４は、筆穂取付具１３の内部に位置する部分の長さＬ６が、筆穂取付具１３の外部に位置する部分の長さＬ７の長さよりも長くなっている。
このように、筆穂１４の大部分を筆穂取付具１３の内部で扁平状とする構造とすると、筆穂取付具１３の外部に露出する筆穂先端部分が割れ難く（形が崩れ難く）なる。
【０１０１】
ここで、図２０で示されるように、穂形保持部３５の内部では、内部に収容された毛束部１４ａ（筆穂１４）の横断面の面積（隙間部分を除いた面積）が、筆穂取付孔３７の横断面の面積以下となっている。
この毛束部１４ａの横断面の面積は、筆穂先端部分の型崩れをより確実に防止するという観点から、筆穂取付孔３７の横断面の面積の５０パーセント以上となることが好ましい。また、６０パーセント以上となることがより好ましく、筆穂取付孔３７の横断面の面積の７０パーセント以上となることがさらに好ましい。
【０１０２】
続いて、給水規制部材１２を筆穂取付具１３に取り付ける際には、上記したように、給水規制部材１２の後方側から筆穂取付具１３を挿入する（図２、図１６参照）。なお、この給水規制部材１２の取り付けは、筆穂取付具１３に筆穂１４を取り付けてから実施してもよく、筆穂取付具１３に筆穂１４を取り付ける前に実施してもよい。
【０１０３】
具体的には、給水規制部材１２の固定部材挿通孔１２ａ（図２参照）に、筆穂取付具１３を挿入する。
この給水規制部材１２は、筆穂取付具１３の括れ部５５、又は、括れ部５５とその前側に隣接する部分を取り囲むように取り付ける。
なお、本実施形態では、括れ部５５に対して給水規制部材１２を取り付けている（図１６参照）。つまり、図１６（ｂ）で示されるように、給水規制部材１２を筆穂取付具１３に取り付けた状態で、給水規制部材１２と括れ部５５の前端部分は、前後方向の位置が同一の位置となる。同時に、給水規制部材１２と括れ部５５の後端部分もまた、前後方向の位置が同一の位置となる。
【０１０４】
ここで、筆穂取付具１３のリブ部６０は、給水規制部材１２の位置ずれを防止する移動規制部として機能する部分でもある。
具体的に説明すると、穂先導入部３６は、上下方向に離れた位置にリブ部６０をそれぞれ形成しており、前端側部分の一部の上下方向長さが周囲よりも長くなっている。そして、給水規制部材１２が取付位置から相対的に後方へ移動しようとしたとき、給水規制部材１２の後端部分がリブ部６０の前端部分に当接し、給水規制部材１２がリブ部６０に引っ掛かることで、給水規制部材１２の後方側への移動が阻止される。
すなわち、穂先導入部３６の前端側部分は、固定部材挿通孔１２ａに挿入できない大きさとなっている。言い換えると、固定部材挿通孔１２ａ（図２参照）の後端側開口は、筆穂取付具１３への装着時における上下方向長さが、穂先導入部３６のリブ部６０が形成された部分の上下方向長さよりも短くなっている。
【０１０５】
また、本実施形態の筆具１は、上記したように、使用者が筆軸３０の後側部分（後側筒部１１のうちで外部に露出した部分）を摘まんで押すことで、筆穂１４に水を供給可能となっている（詳しくは後述する）
【０１０６】
すなわち、使用者が後側筒部１１を押すと、図２１で示されるように、後側筒部１１の内部に収容された液体（水）が給水規制栓部７６を通過して中栓部材１５の液通過孔７８の内部に流れ込む。そして、液通過孔７８の前端側部分から、中栓部材１５の外部へ流出する。
詳細には、中栓部材１５の前端側部分が筆穂取付具１３の後端側部分に挿入されていることから、中栓部材１５の内部から筆穂取付具１３の内部へと液体が流れる。
【０１０７】
そして、形状変形部７１の後端開口が筆穂１４のフランジ状部１４ｂによって閉塞されていることから、液体は、第二給水孔部６５から筆穂取付具１３の外部へと流れ、給水溝部４７を経て、給水規制部材１２に沁み込んでいく。
さらに、保水限界を超えて給水規制部材１２に液体が沁み込むことで、給水規制部材１２から第一給水孔部４６を経て、筆穂１４の毛束部１４ａに液体が供給される。
【０１０８】
すなわち、複数の貫通孔が形成された給水規制栓部７６と、液体を含浸可能な給水規制部材１２とが、筆穂１４への液体の供給量を規制する第一給液規制部材及び第二給液規制部材として機能する。
また、中栓部材１５の前端部分には、２つの側孔部８０が形成されている（図１４参照）。このため、仮に筆穂１４が後端側へ移動し、中栓部材１５の前側開口部８１がフランジ状部１４ｂによって閉塞されても、側孔部８０から外部に液体を流出させることができる。
【０１０９】
さらに、第一給水孔部４６と、第二給水孔部６５は、液体（水）を筆穂１４に供給する際に液体が通過する給液用の孔（給液孔）となっている。そして、第二給水孔部６５と隣接する給水溝部４７は（図４等参照）、第二給水孔部６５から流出した液体の流通経路（給液溝）として機能する。
【符号の説明】
【０１１０】
１  筆具（塗布具）
１２  給水規制部材（給液規制部材）
１３  筆穂取付具
１４  筆穂
１４ａ  毛束部
１４ｂ  フランジ状部（固形部）
３０  筆軸
３７  筆穂取付孔
６０  リブ部（突条部）
７０  穂先導入部
７１  形状変形部
７２  先端側整形部
【図１】
2020172030.tif 000003
【図２】
2020172030.tif 000004
【図３】
2020172030.tif 000005
【図４】
2020172030.tif 000006
【図５】
2020172030.tif 000007
【図６】
2020172030.tif 000008
【図７】
2020172030.tif 000009
【図８】
2020172030.tif 000010
【図９】
2020172030.tif 000011
【図１０】
2020172030.tif 000012
【図１１】
2020172030.tif 000013
【図１２】
2020172030.tif 000014
【図１３】
2020172030.tif 000015
【図１４】
2020172030.tif 000016
【図１５】
2020172030.tif 000017
【図１６】
2020172030.tif 000018
【図１７】
2020172030.tif 000019
【図１８】
2020172030.tif 000020
【図１９】
2020172030.tif 000021
【図２０】
2020172030.tif 000022
【図２１】
2020172030.tif 000023